(57)【要約】【課題】保護機能にも優れているとともに、収納時に扁平状態となり、更に折り畳んだ状態での面積も小さくなる折り畳み安全帽を提供すること。【解決手段】本発明の折り畳み安全帽は、第１の状態では頭部を覆う空間６１を形成し、第２の状態では扁平状態となるものであって、前面板部１０の一辺１０Ａと後面板部２０の一辺２ＯＡとが頭頂折曲部３０によって連結され、前面板部１０の側辺１０Cと後面板部２０の側辺２０Cとが側面板部４０によって連結され、第１の状態では、前面板部１０と、後面板部２０と、一対の側面板部４０とによって空間６１が形成され、第２の状態では、前面板部１０と後面板部２０とを近接対向させ、一対の側面板部４０を前面板部１０と後面板部２０との間に配置させることを特徴とする。【選択図】        図１
2010270403.tif 000002
【特許請求の範囲】
【請求項１】
第１の状態では頭部を覆う空間を形成し、第２の状態では扁平状態となる折り畳み安全帽であって、
前面板部の一辺と後面板部の一辺とが頭頂折曲部によって連結され、
前記前面板部の側辺と前記後面板部の側辺とが側面板部によって連結され、
前記第１の状態では、
前記前面板部と、前記後面板部と、一対の前記側面板部とによって前記空間が形成され、前記第２の状態では、
前記前面板部と前記後面板部とを近接対向させ、一対の前記側面板部を前記前面板部と前記後面板部との間に配置させることを特徴とする折り畳み安全帽。
【請求項２】
一対の前記側面板部に顎紐の両端を配置することを特徴とする請求項１に記載の折り畳み安全帽。
【請求項３】
前記前面板部の他辺には前面他辺側補強部を、前記後面板部の他辺には後面他辺側補強部を形成することを特徴とする請求項１に記載の折り畳み安全帽。
【請求項４】
前記前面板部及び前記後面板部が、前記第１の状態では湾曲状態となり、前記第２の状態では扁平状態となることを特徴とする請求項１に記載の折り畳み安全帽。
【請求項５】
前記側面板部の前方側辺と前記前面板部の前記側辺とが前方折曲部によって連結され、前記側面板部の後方側辺と前記後面板部の前記側辺とが後方折曲部によって連結され、前記側面板部には、側面板折曲部が形成されていることを特徴とする請求項１に記載の折り畳み安全帽。
【請求項６】
前記前方折曲部を前記前面板部の前記他辺側に形成して、前記前面板部の前記一辺側と前記側面板部とを連結せず、前記後方折曲部を前記後面板部の前記他辺側に形成して、前記後面板部の前記一辺側と前記側面板部とを連結しないことを特徴とする請求項５に記載の折り畳み安全帽。
【請求項７】
前記前面板部の前記側辺における前記一辺側には前面側辺側補強部を、前記後面板部の前記側辺における前記一辺側には後面側辺側補強部を形成し、前記前方折曲部と前記前面側辺側補強部との間に前方未補強部を、前記後方折曲部と前記後面側辺側補強部との間には後方未補強部を形成したことを特徴とする請求項６に記載の折り畳み安全帽。
【発明の詳細な説明】
【技術分野】
【０００１】
本発明は、例えば地震や火災の防災時や各種作業時に用いられる折り畳み安全帽に関する。
【背景技術】
【０００２】
従来から、折り畳み可能なヘルメットとしていくつかのタイプが提案されている。
例えば、第１のタイプとして、特許文献１では、頭頂部を分割中心として、ヘルメット本体を複数の部材に分割し、組み立て可能な構成が提案されている。
第１のタイプとしては、その他の構成として、頭頂部を分割中心としたそれぞれの部材を、頭頂部に設けた軸を中心に回動可能とすることで、それぞれの部材を重ね合わせて収納する構成が提案されている（例えば特許文献２、３、４）。
また、第２のタイプとしては、頭頂部の代わりに、両側頭部の位置を回動軸として、それぞれの部材を重ね合わせて収納する構成が提案されている（例えば特許文献５、６、７）。
また、第３のタイプとしては、頭頂部を中心として水平面でヘルメット本体をいくつかの部材に分割し、これらの部材を重ね合わせることで収納する構成が提案されている（例えば特許文献８、９、１０）。
また、第４のタイプとして、前側弾性平板と後側弾性平板の２つの部材で構成し、使用時である展開状態では、この２つの部材の弾性力を利用して湾曲状態を維持し、未使用時である折り畳んだ状態では扁平状態となる構成が提案されている（特許文献１１、１２）
【特許文献１】特開平１１−３５０２３２号公報
【特許文献２】実開昭５１−１４９７１９号公報
【特許文献３】実開昭４７−３６８１４号公報
【特許文献４】特開平８−３２５８２４号公報
【特許文献５】実開昭５１−１３５７２６号公報
【特許文献６】実公昭５４−３５７８４号公報
【特許文献７】実用新案登録第３０７２９７８号公報
【特許文献８】実公昭４２−２２５２０号公報
【特許文献９】実公昭４６−６５９２号公報
【特許文献１０】特開２００４−８４１４５号公報
【特許文献１１】特開２００７−１６２１７９号公報
【特許文献１２】特開２００８−２５５５４８号公報
【発明の開示】
【発明が解決しようとする課題】
【０００３】
しかし、既に提案されている第１のタイプから第３のタイプの構成では、折り畳んだ状態でヘルメットとしての湾曲形状が残存しているために収納しにくく、または、湾曲形状が残らないほど分割しているものは保護機能が十分でないという問題がある。
また、第４のタイプでは、折り畳んだ状態で扁平となるとともに２つに分割しているだけなので保護機能にも優れていると考えられるが、折り畳んだ状態での面積が大きくなってしまうという問題がある。
【０００４】
そこで本発明は、保護機能にも優れているとともに、収納時に扁平状態となり、更に折り畳んだ状態での面積も小さくなる折り畳み安全帽を提供することを目的とする。
【課題を解決するための手段】
【０００５】
請求項１記載の本発明の折り畳み安全帽は、第１の状態では頭部を覆う空間を形成し、第２の状態では扁平状態となる折り畳み安全帽であって、前面板部の一辺と後面板部の一辺とが頭頂折曲部によって連結され、前記前面板部の側辺と前記後面板部の側辺とが側面板部によって連結され、前記第１の状態では、前記前面板部と、前記後面板部と、一対の前記側面板部とによって前記空間が形成され、前記第２の状態では、前記前面板部と前記後面板部とを近接対向させ、一対の前記側面板部を前記前面板部と前記後面板部との間に配置させることを特徴とする。
請求項２記載の本発明は、請求項１に記載の折り畳み安全帽において、一対の前記側面板部に顎紐の両端を配置することを特徴とする。
請求項３記載の本発明は、請求項１に記載の折り畳み安全帽において、前記前面板部の他辺には前面他辺側補強部を、前記後面板部の他辺には後面他辺側補強部を形成することを特徴とする。
請求項４記載の本発明は、請求項１に記載の折り畳み安全帽において、前記前面板部及び前記後面板部が、前記第１の状態では湾曲状態となり、前記第２の状態では扁平状態となることを特徴とする。
請求項５記載の本発明は、請求項１に記載の折り畳み安全帽において、前記側面板部の前方側辺と前記前面板部の前記側辺とが前方折曲部によって連結され、前記側面板部の後方側辺と前記後面板部の前記側辺とが後方折曲部によって連結され、前記側面板部には、側面板折曲部が形成されていることを特徴とする。
請求項６記載の本発明は、請求項５に記載の折り畳み安全帽において、前記前方折曲部を前記前面板部の前記他辺側に形成して、前記前面板部の前記一辺側と前記側面板部とを連結せず、前記後方折曲部を前記後面板部の前記他辺側に形成して、前記後面板部の前記一辺側と前記側面板部とを連結しないことを特徴とする。
請求項７記載の本発明は、請求項６に記載の折り畳み安全帽において、前記前面板部の前記側辺における前記一辺側には前面側辺側補強部を、前記後面板部の前記側辺における前記一辺側には後面側辺側補強部を形成し、前記前方折曲部と前記前面側辺側補強部との間に前方未補強部を、前記後方折曲部と前記後面側辺側補強部との間には後方未補強部を形成したことを特徴とする。
【発明の効果】
【０００６】
本発明によれば、前面板部と後面板部と一対の側面板部とによって頭部を覆う空間を形成して安全帽として用いることができるとともに、前面板部と後面板部とを近接対向させ、一対の側面板部を前面板部と後面板部との間に配置させることによって扁平状態となるため収納性にも優れている。
【発明の実施の形態】
【０００７】
本発明の第１の実施の形態による折り畳み安全帽は、前面板部の一辺と後面板部の一辺とが頭頂折曲部によって連結され、前面板部の側辺と後面板部の側辺とが側面板部によって連結され、第１の状態では、前面板部と、後面板部と、一対の側面板部とによって空間が形成され、第２の状態では、前面板部と後面板部とを近接対向させ、一対の側面板部を前面板部と後面板部との間に配置させるものである。本実施の形態によれば、前面板部と後面板部と一対の側面板部とによって頭部を覆う空間を形成して安全帽として用いることができるとともに、前面板部と後面板部とを近接対向させ、一対の側面板部を前面板部と後面板部との間に配置させることによって扁平状態となるため収納性に優れている。
本発明の第２の実施の形態は、第１の実施の形態による折り畳み安全帽において、一対の側面板部に顎紐の両端を配置するものである。本実施の形態によれば、前面板部を前頭部に配置し、後面板部を後頭部に配置することになり、前頭部及び後頭部の保護性能を高めることができる。
本発明の第３の実施の形態は、第１の実施の形態による折り畳み安全帽において、前面板部の他辺には前面他辺側補強部を、後面板部の他辺には後面他辺側補強部を形成するものである。本実施の形態によれば、前面板部と後面板部の強度を高めることができる。
本発明の第４の実施の形態は、第１の実施の形態による折り畳み安全帽において、前面板部及び後面板部が、第１の状態では湾曲状態となり、第２の状態では扁平状態となるものである。本実施の形態によれば、使用時には頭部にあわせた状態とすることができるとともに、収納性にも優れている。
本発明の第５の実施の形態は、第１の実施の形態による折り畳み安全帽において、側面板部の前方側辺と前面板部の側辺とが前方折曲部によって連結され、側面板部の後方側辺と後面板部の側辺とが後方折曲部によって連結され、側面板部には、側面板折曲部が形成されているものである。本実施の形態によれば、収納時となる第２の状態において、側面板部を前面板部と後面板部との間に配置しやすく、第１の状態と第２の状態との動作をスムーズに行わせることができる。
本発明の第６の実施の形態は、第５の実施の形態による折り畳み安全帽において、前方折曲部を前面板部の他辺側に形成して、前面板部の一辺側と側面板部とを連結せず、後方折曲部を後面板部の他辺側に形成して、後面板部の一辺側と側面板部とを連結しないものである。本実施の形態によれば、前方折曲部及び後方折曲部を他辺側だけに設けることで、第１の状態と第２の状態との動作を更にスムーズに行わせることができる。
本発明の第７の実施の形態は、第６の実施の形態による折り畳み安全帽において、前面板部の側辺における一辺側には前面側辺側補強部を、後面板部の側辺における一辺側には後面側辺側補強部を形成し、前方折曲部と前面側辺側補強部との間に前方未補強部を、後方折曲部と後面側辺側補強部との間には後方未補強部を形成したものである。本実施の形態によれば、前面板部及び後面板部の強度を高めるとともに、前方未補強部と後方未補強部において、湾曲状態を形成しやすくなり、頭部へのフィット感を高めることができる。
【実施例】
【０００８】
以下本発明の実施例について図面とともに説明する。
図１は本発明の一実施例による折り畳み安全帽の側面板部側から見た斜視図、図２は同折り畳み安全帽の前面板部側から見た斜視図、図３は同折り畳み安全帽の空間側から見た斜視図、図４は同折り畳み安全帽の折り畳みの初期状態を示す斜視図、図５は図４から更に折り畳んだ状態を示す斜視図、図６は同折り畳み安全帽の折り畳み終期に近い状態を示す斜視図、図７は同折り畳み安全帽の第２の状態を示す斜視図である。
【０００９】
まず、図１から図３を用いて本実施例による折り畳み安全帽の構成について説明する。なお、図１から図３は第１の状態を示している。
本実施例による折り畳み安全帽は、前面板部１０の一辺１０Ａと後面板部２０の一辺２ＯＡとが頭頂折曲部３０によって連結されている。頭頂折曲部３０は、前面板部１０の一辺１０Ａに形成されたピン受けと、後面板部２０の一辺２０Ａに形成されたピン受けと、これらのピン受けに挿入された連結ピン３１とによって構成している。なお、頭頂折曲部３０は、弾性部材によって前面板部１０の一辺１０Ａと後面板部２０の一辺２０Ａとを連結するものであってもよい。また、前面板部１０と後面板部２０とを同一材料にて一体に形成し、前面板部１０と後面板部２０との間に可撓性を持たせて頭頂折曲部３０を構成してもよい。前面板部１０の他辺１０Ｂには前面他辺側補強部１１を形成している。また、後面板部２０の他辺２０Ｂには後面他辺側補強部２１を形成している。前面他辺側補強部１１は、前面板部１０の他辺１０Ｂを折り曲げて構成している。このとき、前面板部１０の他辺１０Ｂの折り曲げは、外方向が好ましい。また、後面他辺側補強部２１は、後面板部２０の他辺２０Ｂを折り曲げて構成し、後面板部２０の他辺２０Ｂの折り曲げについても、外方向が好ましい。前面板部１０の側辺１０Ｃにおける一辺１０Ａ側には前面側辺側補強部１２を、後面板部２０の側辺２０Ｃにおける一辺２０Ａ側には後面側辺側補強部２２を形成している。前面側辺側補強部１２は、前面板部１０の側辺１０Ｃを折り曲げて構成している。このとき、前面板部１０の側辺１０Ｃの折り曲げは、側面板部４０の方向が好ましい。また、後面側辺側補強部２２は、後面板部２０の側辺２０Ｃを折り曲げて構成し、後面板部２０の側辺２０Ｃの折り曲げについても、側面板部４０の方向が好ましい。
【００１０】
前面板部１０の側辺１０Ｃと後面板部２０の側辺２０Ｃとは、側面板部４０によって連結されている。側面板部４０の前方側辺４０Ａは、前方折曲部５１によって前面板部１０の側辺１０Ｃと連結され、側面板部４０の後方側辺４０Ｂは、後方折曲部５２によって後面板部２０の側辺２０Ｃと連結されている。
側面板部４０は、前方折曲部５１に連結される前方側側面板部４１と、後方折曲部５２に連結される後方側側面板部４２と、前方側側面板部４１と後方側側面板部４２とを連結する側面板折曲部４３とによって構成される。
前方折曲部５１は、前面板部１０の側辺１０Ｃにおける他辺１０Ｂ側に形成しており、前面板部１０の一辺１０Ａ側と前方側側面板部４１とは連結していない。また、後方折曲部５２は、後面板部２０の側辺２０Ｃにおける他辺２０Ｂ側に形成しており、後面板部２０の一辺２０Ａ側と後方側側面板部４２とは連結していない。
前方折曲部５１と前面側辺側補強部１２との間には前方未補強部１３を、後方折曲部５２と後面側辺側補強部２２との間には後方未補強部２３を形成している。この前方未補強部１３と後方未補強部２３によって、第１の状態における湾曲状態が形成される。
ここで、前方折曲部５１、後方折曲部５２、及び側面板折曲部４３についての具体的な構成は、頭頂折曲部３０と同様に、ピン受けとピン受けに挿入される連結ピンとによって構成する他、弾性部材によって連結するものであってもよい。
なお、側面板折曲部４３は、前方側側面板部４１と後方側側面板部４２とを同一材料にて一体に形成し、前方側側面板部４１と後方側側面板部４２との間に可撓性を持たせて構成してもよい。
【００１１】
上記構成により、特に図３に示すように、第１の状態では、前面板部１０と、後面板部２０と、一対の側面板部４０とによって頭部を覆う空間６１が形成される。
空間６１には、図３に示すように着装体６２を備える。着装体６２は、前面板部１０と、後面板部２０と、一対の側面板部４０とによって構成される帽体とのバランスを維持するハンモックの機能を備えていることが好ましく、少なくともヘッドバンドや顎紐６３を有する。着装体６２は、衝撃吸収ライナーとしての機能を有するものであってもよい。顎紐６３の両端は、着装体６２に取り付けられ、一対の側面板部４０に対応する位置に配置される。
帽体を構成する、前面板部１０、後面板部２０、一対の側面板部４０の材質は、ポリカーボネート、ポリエチレン、アクリロニトリル・ブタン・スチレンなどの熱可塑性樹脂、ポリエステル樹脂をガラス繊維で強化した熱硬化性樹脂が適している。
【００１２】
次に、図４から図７を用いて本実施例による折り畳み安全帽の第２の状態への動作について説明する。なお、図７が扁平状態となる第２の状態を示している。
側面板折曲部４３を空間６１側に移動させるように折曲させることで、前方折曲部５１及び後方折曲部５２も折曲し、前方側側面板部４１は前面板部１０に近接するように、後方側側面板部４２は後面板部２０に近接するように移動する。
このとき、一対の側面板折曲部４３は、それぞれが当接しない状態に配置されることが好ましい。一対の側面板折曲部４３を当接させないためには、一方の側面板折曲部４３を構成する前方側側面板部４１と、他方の側面板折曲部４３を構成する前方側側面板部４１との寸法を異ならせることによっても実現できるが、本実施例では、前面板部１０及び後面板部２０のねじれと前方折曲部５１及び後方折曲部５２の可撓性によって実現している。
上記動作に伴い、前方未補強部１３と後方未補強部２３によって生じていた湾曲状態は無くなり、第２の状態では、前面板部１０と後面板部２０とが扁平状態で近接対向する。なお、一対の側面板部４０は、前面板部１０と後面板部２０との間に配置させる。
【００１３】
以上のように本実施例によれば、前面板部１０の一辺１０Ａと後面板部２０の一辺２０Ａとが頭頂折曲部３０によって連結され、前面板部１０の側辺１０Ｃと後面板部２０の側辺２０Ｃとが側面板部４０によって連結され、第１の状態では、前面板部１０と、後面板部２０と、一対の側面板部４０とによって空間６１が形成され、第２の状態では、前面板部１０と後面板部２０とを近接対向させ、一対の側面板部４０を前面板部１０と後面板部２０との間に配置させている。それにより、前面板部１０と後面板部２０と一対の側面板部４０とによって頭部を覆う空間６１を形成して安全帽として用いることができるとともに、前面板部１０と後面板部２０とを近接対向させ、一対の側面板部４０を前面板部１０と後面板部２０との間に配置させることによって扁平状態となるため収納性に優れている。
また本実施例によれば、一対の側面板部４０に顎紐６３の両端を配置することで、前面板部１０を前頭部に配置し、後面板部２０を後頭部に配置することになり、前頭部及び後頭部の保護性能を高めることができる。
また本実施例によれば、前面板部１０の他辺１０Ｂには前面他辺側補強部１１を、後面板部２０の他辺２０Ｂには後面他辺側補強部２１を形成することで、前面板部１０と後面板部２０の強度を高めることができる。
また本実施例によれば、前面板部１０及び後面板部２０が、第１の状態では湾曲状態となり、第２の状態では扁平状態となることで、使用時には頭部にあわせた状態とすることができるとともに、収納性にも優れている。
また本実施例によれば、側面板部４０の前方側辺４０Ａと前面板部１０の側辺１０Ｃとが前方折曲部５１によって連結され、側面板部４０の後方側辺４０Ｂと後面板部２０の側辺２０Ｃとが後方折曲部５２によって連結され、側面板部４０には、側面板折曲部４３が形成されているので、収納時となる第２の状態において、側面板部４０を前面板部１０と後面板部２０との間に配置しやすく、第１の状態と第２の状態との動作をスムーズに行わせることができる。
また本実施例によれば、前方折曲部５１を前面板部１０の他辺１０Ｃ側に形成して、前面板部１０の一辺１０Ａ側と側面板部４０とを連結せず、後方折曲部５２を後面板部２０の他辺２０Ｂ側に形成して、後面板部２０の一辺２０Ａ側と側面板部４０とを連結しないことで、前方折曲部５１及び後方折曲部５２を他辺１０Ｂ、２０Ｂ側だけに設けることで、第１の状態と第２の状態との動作を更にスムーズに行わせることができる。
また本実施例によれば、前面板部１０の側辺１０Ｃにおける一辺１０Ａ側には前面側辺側補強部１２を、後面板部２０の側辺２０Ｃにおける一辺２０Ａ側には後面側辺側補強部２２を形成し、前方折曲部５１と前面側辺側補強部１２との間に前方未補強部１３を、後方折曲部５２と後面側辺側補強部２２との間には後方未補強部２３を形成したことで、前面板部１０及び後面板部２０の強度を高めるとともに、前方未補強部１３と後方未補強部２３において、湾曲状態を形成しやすくなり、頭部へのフィット感を高めることができる。
【産業上の利用可能性】
【００１４】
本発明の折り畳み安全帽は、火災や地震などの震災時における頭部防護用のヘルメットに利用できる他、簡易な作業現場などで用いる携帯用ヘルメット、その他自転車などの乗り物の運転時やスキーなどのスポーツ時に安全性の目的で用いるヘルメットとして利用することができる。
【図面の簡単な説明】
【００１５】
【図１】本発明の一実施例による折り畳み安全帽の側面板部側から見た斜視図
【図２】同折り畳み安全帽の前面板部側から見た斜視図
【図３】同折り畳み安全帽の空間側から見た斜視図
【図４】同折り畳み安全帽の折り畳みの初期状態を示す斜視図
【図５】図４から更に折り畳んだ状態を示す斜視図
【図６】同折り畳み安全帽の折り畳み終期に近い状態を示す斜視図
【図７】同折り畳み安全帽の第２の状態を示す斜視図
【符号の説明】
【００１６】
１０  前面板部
１１  前面他辺側補強部
１２  前面側辺側補強部
１３  前方未補強部
２０  後面板部
２１  後面他辺側補強部
２２  後面側辺側補強部
２３  後方未補強部
３０  頭頂折曲部
４０  側面板部
４１  前方側側面板部
４２  後方側側面板部
４３  側面板折曲部
５１  前方折曲部
５２  後方折曲部
６１  空間
６２  着装体
【図１】
2010270403.tif 000003
【図２】
2010270403.tif 000004
【図３】
2010270403.tif 000005
【図４】
2010270403.tif 000006
【図５】
2010270403.tif 000007
【図６】
2010270403.tif 000008
【図７】
2010270403.tif 000009